(57)【要約】 【構成】形状可変性素材で形成された軸部に拭取部を被装し、使用時に被巻装体に巻きつけて拭取可能状態とすることを特徴とする白板用イレイザーである。【効果】被巻装体に巻き付ける回数及び被巻装体の直径によって拭取部の面積を調節することができるため、小さなミスや書き間違いを拭取るために拭取部面積の微調整が可能である。また、巻き付けることによって被巻装体に装着されるため、使用者の指や筒状体等、被巻装体の直径に制限がなく、被巻装体に合わせて柔軟に巻き付けることができ、装着後は容易に脱落しない。更に、筆記時に生じた小さな記入ミスや部分的なミスを、その都度据置型のイレイザーを持ち直して拭取る必要がない。【選択図】            図３
2005096335.tif 000002
【特許請求の範囲】
【請求項１】
形状可変性素材で形成された軸部に拭取部を被装し、使用時に被巻装体に巻きつけて拭取可能状態とすることを特徴とする白板用イレイザー。
【発明の詳細な説明】
【技術分野】
【０００１】
本願発明は、白板上に剥離性インキで書いた文字等を消すための、白板用イレイザーに関するものである。
【背景技術】
【０００２】
従来の据置型の白板用イレイザーは、白板上に剥離性インキで書いた文字等の内、一文字消去したいときや、小さな間違いをした際でも、その都度白板用マーカーのキャップや軸本体を置いて、据置型の白板用イレイザーを持ち直し、拭取る必要があり不便であった。さらに、据置型の白板用イレイザーを持ち直すことを面倒に感じる記入者は、手の指等でこれを拭取る場合が多く、手の指等を汚し大変不快であった。
そこでこうした問題を解決するために、例えば先願に実開昭６３−１７６６９５号（以下、(イ)とする。）がある。
（イ）は、ベースの中央部両縁に、弾力性のある素材を使用して作られた、先端に向かって軽く湾曲するホルダーをそれぞれ一基ずつ設けてある。使用するときは、インク拭取部が外側を向くようにしてニ基のホルダーの間に指を入れ、記入ミスなどをおかした場合に適宜インク拭取部で消す。
また、イレイザーを筆記具の軸本体やキャップ本体と一体に構成することによって、筆記具にイレイザーの機能を兼備えたものが知られている。例えば、先願に実開昭４８−９７０３４号（以下、(ロ)とする。）、実開昭４８−９７０３５号（以下、(ハ)とする。）がある。(ロ) 、(ハ)は、拭取部を植設した覆管を筆記具の軸本体やキャップ本体に嵌着してイレイザーとしての機能を兼備えている。
【特許文献１】実開昭６３−１７６６９５号（第１頁、第１図−第２図）
【特許文献２】実開昭４８−９７０３４号（第１頁−第２頁、第１図−第４図）
【特許文献３】実開昭４８−９７０３５号（第１頁−第２頁、第１図−第４図）
【発明の開示】
【発明が解決しようとする課題】
【０００３】
しかしながら前記ホワイトボード用イレイザーでは、拭取部の面積が予め決められており、使用者の希望する面積に調節することが出来ない。そのため、一文字消去したいときや、小さな間違いをした際、拭取部の角等を使用して拭取ることになるが、該角等を使用しても残しておきたい部分まで拭取ってしまうこともあり、小さなミスや書き間違いに対して不向きであった。更に、ホルダーや覆管を使用者の指や筆記具の軸本体や筆記具のキャップ本体に装着する際、使用者の指や筒状体等、被巻装体の直径に制限があった。
【０００４】
本発明は、上記従来技術の問題点に着目してなされたもので、小さなミスや書き間違いを拭取るため、拭取部を使用者の希望する面積に調節することができ、更に、使用者の指や筒状体等、被巻装体の直径に制限がなく、被巻装体の直径に合わせて柔軟に巻き付けることができる白板用イレイザーを提供することを目的とする。
【課題を解決するための手段】
【０００５】
本発明は、前記目的を達成するため、形状可変性素材で形成された軸部に拭取部を被装し、使用時に被巻装体に巻きつけて拭取可能状態とすることを特徴とする白板用イレイザーである。
【発明の効果】
【０００６】
本発明の白板用イレイザーでは、被巻装体に巻き付ける回数及び被巻装体の直径によって拭取部の面積を調節することができる。従って、拭取部を使用者の希望する面積に調節することができるため、小さなミスや書き間違いを拭取るために拭取部面積の微調整が可能である。また、巻き付けることによって被巻装体に装着されるため、使用者の指や筒状体等、被巻装体の直径に制限がなく、被巻装体に合わせて柔軟に巻き付けることができ、装着後は容易に脱落しない。更に、被巻装体として指先や白板用マーカーの軸本体やキャップ本体に本発明の白板用イレイザーを巻き付けた場合は、筆記時に生じた小さな記入ミスや部分的なミスを、その都度据置型のイレイザーを持ち直して拭取る必要がない。被巻装体として略角柱形状物や文房具等を使用した場合、使用者オリジナルの白板用イレイザーを作成することが可能となる。使用により拭取部が汚れてしまった場合は、新しい白板用イレイザーを軸芯３から解いて使用することができる。
【発明を実施するための最良の形態】
【０００７】
以下、本発明の実施例を図１、図２、図３、図４、図５、図６を基に詳細に説明する。
１は、形状可変性素材で形成された軸部であり、細い円柱形状をしているが、巻きつけることが可能であれば、前記軸部１は三角柱形状、四角柱形状等、特に形状に拘らない。また、太さについても、巻きつけることが可能であれば任意の太さでよい。軸部１の材質は、ステンレス、銅、真鍮等の金属が使用可能であるが、これに限定されるものではなく、ペット樹脂、ポリスチレン、ポリエチレン、ポリプロピレン、ポリアミド等の熱可塑性樹脂や、尿素樹脂、メラミン樹脂、フェノール樹脂等の熱硬化性樹脂であって巻きつけることが可能な程度に形状を変形することができる材質であれば出願人の意図するところである。
【０００８】
２は、拭取部であり、軸部１の外側に被さるように装着する。拭取部２は接着剤や糊等で軸部１に糊着してもよい。拭取部２の材質は、フェルト、ポリプロピレン、ポリエチレン、アクリル等の合成繊維、布等の天然繊維で白板上に剥離性インキで書いた文字等を拭取り可能であれば使用可能である。
【０００９】
３は、軸芯であり、未使用時に白板用イレイザーを巻き付けて収納しておく。形状は、円柱形状が好ましいが、白板用イレイザーを巻きつけることが可能であれば、三角柱形状、四角柱形状等、特に形状に拘らない。
【００１０】
４は、被巻装体であり、使用時に白板用イレイザーを巻き付ける。被巻装体４としては、指先、筆記具の軸本体や筆記具のキャップ本体、定規等の文房具類、その他本発明の白板用イレイザーを巻き付けることが可能であれば特に制限はない。
【００１１】
次に、本発明第１の実施例の作用について説明する。
本発明の白板用イレイザーを、軸芯３から解いて、指先４１に螺旋状に巻き付ける。このとき、拭取部２が螺旋状に巻き付けられることによって拭取部２ａが生じる。拭取部２ａの面積は、巻き付ける回数及び指先４１の直径によって調節可能となるため、拭取部２ａの面積が使用者の希望する大きさになった所で、白板用イレイザーをハサミ等で切断する。
このように、例えば、白板用イレイザーを指先４１に装着して、白板上に筆記する。筆記時に小さな記入ミスや部分的なミスをおかした場合、その都度据置型のイレイザーを持ち直して拭取る必要がなく、指先４１に装着した白板用イレイザーで剥離性インキを拭取ればよい。使用中指先４１の位置を変更したい場合は、指先４１から白板用イレイザーを解き、あらためて別の指先４１に螺旋状に巻き付ければよい。
使用後は指先４１から白板用イレイザーを解き、軸芯３等に巻き付けて収納しておけばよい。使用により拭取部が汚れてしまった場合は、新しい白板用イレイザーを軸芯３から解いて使用すればよい。
【００１２】
次に、本発明第２の実施例の作用について説明する。
本発明の白板用イレイザーを、軸芯３から解いて、白板用マーカーの軸本体４２に螺旋状に巻き付ける。このとき、拭取部２が螺旋状に巻き付けられることによって拭取部２ａが生じる。拭取部２ａの面積は、巻き付ける回数及び軸本体４２の直径によって調節可能となるため、拭取部２ａの面積が使用者の希望する大きさになった所で、白板用イレイザーをハサミ等で切断する。白板用イレイザーは軸本体４２に巻き付けられているため、容易に脱落するようなことはない。
このように、例えば、白板用イレイザーを軸本体４２に装着して、白板上に筆記する。筆記時に小さな記入ミスや部分的なミスをおかした場合、その都度据置型のイレイザーをを持ち直して拭取る必要がなく、軸本体４２に装着した白板用イレイザーで剥離性インキを拭取ればよい。使用中軸本体４２を変更したい場合は、軸本体４２から白板用イレイザーを解き、あらためて別の筆記具の軸本体４２に螺旋状に巻き付ければよい。
使用後は軸本体４２から白板用イレイザーを解き、軸芯３等に巻き付けて収納しておけばよい。使用により拭取部が汚れてしまった場合は、新しい白板用イレイザーを軸芯３から解いて使用すればよい。
【００１３】
次に、本発明第３の実施例の作用について説明する。本発明の白板用イレイザーを、軸芯３から解いて、白板用マーカーのキャップ本体４３に螺旋状に巻き付ける。このとき、拭取部２が螺旋状に巻き付けられることによって拭取部２ａが生じる。拭取部２ａの面積は、巻き付ける回数及びキャップ本体４３の直径によって調節可能となるため、拭取部２ａの面積が使用者の希望する大きさになった所で、白板用イレイザーをハサミ等で切断する。白板用イレイザーはキャップ本体４３に巻き付けられているため、容易に脱落するようなことはない。
このように、例えば、白板用イレイザーをキャップ本体４３に装着して、白板上に筆記する。白板用マーカーの使用者は、白板上に筆記する際、キャップ本体を軸本体と反対の手に保持している場合が多い。従って、筆記時に小さな記入ミスや部分的なミスをおかした場合、既に手に保持している、キャップとイレイザーの機能を兼備えたキャップ本体４３で剥離性インキを拭取ればよい。
使用後はキャップ本体４３から白板用イレイザーを解き、軸芯３等に巻き付けて収納しておけばよい。使用により拭取部が汚れてしまった場合は、新しい白板用イレイザーを軸芯３から解いて使用すればよい。
【００１４】
次に、本発明第４の実施例の作用について説明する。本発明の白板用イレイザーを、軸芯３から解いて、平板定規４４に螺旋状に巻き付ける。このとき、拭取部２が螺旋状に巻き付けられることによって拭取部２ａが生じる。拭取部２ａの面積は、巻き付ける回数及び指先４１の直径によって調節可能となるため、拭取部２ａの面積が使用者の希望する大きさになった所で、白板用イレイザーをハサミ等で切断する。
このように、白板用イレイザーを平板定規４４に装着しておく。この場合の使用方法は従来からある据置型の白板用イレイザーと同様である。
但し、平板定規４４から、他の定規若しくは文房具等へ被巻装体４を変更したい場合は、平板定規４４から白板用イレイザーを解き、あらためて別の被巻装体４に螺旋状に巻き付ければよい。使用後は平板定規４４から白板用イレイザーを解き、軸芯３等に巻き付けて収納しておけばよい。使用により拭取部が汚れてしまった場合は、新しい白板用イレイザーを軸芯３から解いて使用すればよい。
【図面の簡単な説明】
【００１５】
【図１】本発明の参考斜視図。
【図２】Ａ−Ａ参考断面図。
【図３】本発明第１の実施例の参考斜視図。
【図４】本発明第２の実施例の参考正面図。
【図５】本発明第３の実施例の参考正面図。
【図６】本発明第４の実施例の参考正面図。
【符号の説明】
【００１６】
１      軸部
２      拭取部
２ａ    拭取部
３      軸芯
４      被巻装体
４１      指先
４２      軸本体
４３      キャップ本体
４４      平板定規
【図１】
2005096335.tif 000003
【図２】
2005096335.tif 000004
【図３】
2005096335.tif 000005
【図４】
2005096335.tif 000006
【図５】
2005096335.tif 000007
【図６】
2005096335.tif 000008